(57)【要約】メモリと情報処理装置とを備えるウェブサーバであって、メモリは遠隔ユーザにより閲覧可能な格納されたウェブページを含み、格納されたウェブページは、外観および機能の少なくとも一方において、遠隔ユーザにより改変可能である。
2006520942.tif 000002
【特許請求の範囲】
【請求項１】
メモリと情報処理装置とを備えるウェブサーバであって、
前記メモリは遠隔ユーザによって閲覧可能な格納されたウェブページを含み、
前記格納されたウェブページは、外観および機能の少なくとも一つにおいて、前記遠隔ユーザによって改変可能である；
ウェブサーバ。
【請求項２】
前記メモリは、ＵＲＬ（uniform resource locator）アドレス等の一つまたはそれ以上のアドレスを含み、
遠隔ユーザがそれを用いて、前記メモリ内に格納されていないウェブサイトを特定および閲覧できる；
請求項１に記載のウェブサーバ。
【請求項３】
前記アドレスＵＲＬが遠隔ユーザによって削除可能であり、および／または、遠隔ユーザによって作成される追加のアドレスＵＲＬが前記メモリ内に格納可能である、および／または、前記アドレスＵＲＬが遠隔ユーザによって編集可能である；
請求項２に記載のウェブサーバ。
【請求項４】
前記格納されたウェブページが、前記格納されたアドレスＵＲＬに対応する他のウェブページへの一つまたはそれ以上のリンクを備える；
請求項２または３に記載のウェブサーバ。
【請求項５】
アドレスＵＲＬが編集、作成、または削除されると、対応する改変が前記格納されたウェブページ上のリンクに対してなされる；
請求項３および４に記載のウェブサーバ。
【請求項６】
リンクが遠隔ユーザによってアクティブ化される場合、アクセスされた、前記メモリ内に格納されていないウェブサイトが、格納されたウェブページ内のフレームとして開かれる；
請求項４または５に記載のウェブサーバ。
【請求項７】
前記アドレスＵＲＬが前記メモリ内で分類され、格納されたウェブページ上に表示され、
遠隔ユーザによって閲覧可能な、他のウェブページへのリンクが、前記遠隔ユーザによって選択されたカテゴリのアドレスＵＲＬに対応する；
請求項４、５または６に記載のウェブサーバ。
【請求項８】
前記ウェブページ上の前記リンクの位置が前記遠隔ユーザによって改変可能であり、
改変された前記リンクの位置が前記ウェブサーバの前記メモリ内に格納される；
請求項４、５、６または７に記載のウェブサーバ。
【請求項９】
アドレスＵＲＬを、遠隔ユーザのコンピュータのメモリ内に格納されたアドレスＵＲＬから、前記ウェブサーバの前記メモリ内へダウンロード可能である；
請求項２から８のいずれかに記載のウェブサーバ。
【請求項１０】
前記格納されたウェブページが一つまたはそれ以上のグラフィックアイコンを備え、
前記ウェブページ上の前記アイコンの位置が前記遠隔ユーザによって改変可能であり、
改変された前記アイコンの位置が前記ウェブサーバの前記メモリ内に格納される；
上記請求項のいずれかに記載のウェブサーバ。
【請求項１１】
前記格納されたウェブページは、前記メモリ内に格納される他の情報へアクセスする埋め込み型言語を備え、また、前記ウェブページは、アクセスされた情報の第１セットを表示する第１構成と、アクセスされた情報の第２セットを表示する第２構成とにおいて、遠隔ユーザによって閲覧可能であり、
前記遠隔ユーザによって閲覧される構成が、前記遠隔ユーザによって行われる動作に依存しており、
前記情報の第１セットまたは第２セットのいずれか、好ましくは両方が、前記遠隔ユーザによって改変可能であり、
改変された前記情報が前記メモリ内に格納される；
上記請求項のいずれかに記載のウェブサーバ。
【請求項１２】
前記情報の第２セットが、前記格納されたアドレスＵＲＬに対応する他のウェブサイトへのリンクを備える；
請求項２に従属する場合の請求項１１に記載のウェブサーバ。
【請求項１３】
前記情報の第２セットが、前記遠隔ユーザによって選択されたカテゴリの前記アドレスＵＲＬに対応する他のウェブサイトへのリンクを備える；
請求項１２および７に記載のウェブサーバ。
【請求項１４】
前記情報の第１セットがアドレスＵＲＬのカテゴリのエリアを含み、また、各エリアに対して、そのエリアの前記カテゴリの前記アドレスＵＲＬに対応する他のウェブサイトへのリンクを備える情報のセットを表示する構成が存在する；
請求項１３に記載のウェブサーバ。
【請求項１５】
前記ウェブサイトは、カーソル指示等によって遠隔ユーザが関連するエリアを選択することによって、前記第１構成において閲覧されるものからカテゴリの構成に変更される；
請求項１４に記載のウェブサーバ。
【請求項１６】
前記格納されたウェブページが、遠隔ユーザによって閲覧可能なデータのセットからなるフォーマットエリアを含み、
前記データは、前記メモリ内に格納された一連のデータのセットから、前記遠隔ユーザによって選択可能である；
上記請求項のいずれかに記載のウェブサーバ。
【請求項１７】
格納されたデータのセットは、遠隔コンピュータから前記メモリへ作成および送信可能である；
請求項１６に記載のウェブサーバ。
【請求項１８】
前記送信されたデータのセットは、そのデータのセットが遠隔ユーザによって選択可能になる前に、第２の遠隔コンピュータによって評価可能である；
請求項１７に記載のウェブサーバ。
【請求項１９】
格納されたデータのセットが有効期日を有し、その結果、前記有効期日を過ぎると、前記データのセットが前記遠隔ユーザによってもはや選択できなくなる；
請求項１６から１８のいずれかに記載のウェブサーバ。
【請求項２０】
データのセットが選択される場合、遠隔ユーザから支払いを要求でき、および／または、そのデータのセットが遠隔ユーザによって選択可能になる前に、データ送信者等の別の関係者から支払いを要求できる；
請求項１６から１９のいずれかに記載のウェブサーバ。
【請求項２１】
遠隔ユーザを識別するための識別手段を備え、
前記ウェブサーバメモリが、誕生日および性別等の遠隔ユーザについての情報を含み、また、前記別の関係者は、どのユーザが前記送信されたデータセットを選択できるかを指定でき、好ましくは、どのユーザを指定したか、または指定したユーザ数に応じた支払いを前記サーバが要求できる；
請求項２０に記載のウェブサーバ。
【請求項２２】
前記フォーマットエリアが、選択されたウェブサイトを表示できる前記フレームを占有している；
請求項６に従属する場合の請求項１６から２１のいずれかに記載のウェブサーバ。
【請求項２３】
前記フォーマットエリアは、選択されたウェブサイトを表示できる前記フレームとは別であり、その結果、前記選択されたデータのセットが前記選択されたウェブページとともに表示される；
請求項６に従属する場合の請求項１６から２１のいずれかに記載のウェブサーバ。
【請求項２４】
前記データのセットがグラフィック画像および／またはｈｔｍｌを備える；
請求項１６から２３のいずれかに記載のウェブサーバ。
【請求項２５】
遠隔ユーザを識別するための識別手段を備え、
格納されたウェブページが識別されたユーザに閲覧可能であり、
前記ウェブページ上のリンクに対応するＵＲＬの改変、もしくは前記フォーマットエリアに表示されるべき前記データのセットの選択の変更に対する改変を含む、その格納されたウェブページへの改変、またはリンクもしくはアイコンの位置の改変は、その識別されたユーザにタグ付けされて前記メモリ内に格納され、第２の異なって識別されたユーザは、前記第１の識別されたユーザにタグ付けされた情報およびウェブページを閲覧できない；
上記請求項のいずれかに記載のウェブサーバ。
【請求項２６】
前記識別手段は、パスワード等の情報を要求し、この情報を前記メモリ内に格納された情報に照らしてチェックすることによって、遠隔ユーザを識別し、パスワード等の前記要求される情報にタグ付けされるウェブページを前記識別されたユーザに対して表示する；
請求項２５に記載のウェブサーバ。
【請求項２７】
前記識別手段は、識別可能な遠隔ユーザの各々に識別番号を割り当てるとともに、前記格納されたウェブページを通じてアクセスされるウェブページの外部ウェブサーバに、この番号へのアクセスを許可し、またはこの番号を付与し、
そのことによって、外部ウェブサーバも遠隔ユーザを識別できる；
請求項２５または２６に記載のウェブサーバ。
【請求項２８】
第１の識別されたユーザは、前記メモリ内に格納された前記一連のデータのセットからどのデータのセットを異なって識別された所定のユーザが選択できるかを、選ぶことができ、
前記異なって識別された所定のユーザは、前記第１の識別されたユーザによって選ばれていないデータのセットを選択または閲覧できない；
請求項１６に従属する場合の請求項２５または２６に記載のウェブサーバ。
【請求項２９】
前記メモリ内に格納された前記情報であって、前記異なって識別された所定のユーザによって入力された前記要求された情報を照らしてチェックし、前記所定のユーザを識別するための前記情報は、前記第１の識別された遠隔ユーザによって前記メモリへ入力される；
請求項２６に従属する場合の請求項２７に記載のウェブサーバ。
【請求項３０】
遠隔ユーザを識別するための識別手段を備え、
前記ウェブサーバメモリが遠隔ユーザの誕生日を含み、
格納されたデータのセットは規定された受入可能な年齢範囲を有しており、その結果、前記誕生日から計算される年齢が前記受入可能な年齢範囲外の遠隔ユーザは、それらの格納されたデータのセットを選択できない；
請求項１４に従属する場合の請求項１６から２９のいずれかに記載のウェブサーバ。
【請求項３１】
遠隔ユーザによって閲覧可能な前記格納されたウェブページが、前記ウェブサーバの前記メモリ内に格納されていないウェブページへアクセスするための手段を有していない；
請求項２９または３０に記載のウェブサーバ。
【請求項３２】
遠隔ユーザによって閲覧可能な前記格納されたウェブページは、前記遠隔ユーザが、例えばポップアップウィンドウとして開く等によって、前記ウェブサーバの前記メモリ内に格納されていないウェブページへアクセスするために前記ウェブページを開くのに用いるブラウザを使用することを妨げる；
請求項３０または３１に記載のウェブサーバ。
【請求項３３】
メモリと情報処理装置とを備えるウェブサーバであって、
前記メモリは遠隔ユーザによって閲覧可能な格納されたウェブページを含み、
前記ウェブサーバは、更に、遠隔ユーザを識別するための識別手段を備え、
格納されたウェブページは識別されたユーザにとって閲覧可能であり、識別されたユーザは、前記格納されたウェブページを介して、外部ウェブサーバによってホスティングされるウェブページへアクセス可能であり、また、前記ウェブサーバは、識別されたユーザの各々に識別番号を割り当て、
前記ウェブサーバは、外部ウェブサーバと通信可能であるとともに、前記格納されたウェブページを介して、その外部ウェブサーバ上に格納されたホスティングされているウェブページへアクセスするユーザの前記識別番号を外部ウェブサーバへ送信可能である；
ウェブサーバ。
【請求項３４】
個人への電子マーケティングを容易にする方法であって：
ウェブサーバを介してアクセス可能な各個人用の電子アドレスをセットアップするステップと；
前記個人の電子アドレスにアクセスするために、前記個人に対して、ユーザ名およびパスワード等のセキュリティ情報を入力するように要求して、前記電子アドレスはその対応する個人に対してインターネットを経由して複数の異なるコンピュータからアクセスできるようにするステップと；
各個人についての情報を要求および格納するステップと；
前記格納された情報に基づいて第三者が各個人を選択できるようにするステップと；
広告等のマーケティング素材を、前記選択された各個人の前記電子アドレスへ第三者が送信できるようにするステップと；
選択された各個人にフィードバックを要求するとともに、フィードバックを第三者へ中継し、マーケティング素材のその個人への送信を続行するか否かを第三者が判断できるようにするステップとを含む；
方法。
【請求項３５】
前記電子アドレスがウェブページまたはブラウザであって、前記マーケティング素材が、前記ウェブページ上または前記ブラウザのウィンドウ内に好ましくは１時間または１日以上表示される；
請求項３４に記載の方法。
【請求項３６】
前記要求された情報が、どの会社からの素材の受信を前記個人が許可または希望するであろうかを含み、および／または、前記個人が、彼または彼女に送信されたものの内、どの素材が表示されるかを選択できる；
請求項３４または３５に記載の方法。
【発明の詳細な説明】
【技術分野】
【０００１】
本発明は、インターネットの使用を改良するためのシステムおよびウェブページに関する。
【背景技術】
【０００２】
メインウィンドウでウェブページを表示するとともに、時として「お気に入り」、本明細書では「リンク」と呼ばれる、ユーザにより編集可能なウェブリンク、すなわちインターネットショートカットの格納されたリストを有するウェブブラウザの使用が周知である。これによれば、ユーザは、恒常的に使用するウェブサイトおよびページへのリンクを格納でき、格納されたリンクを選択することにより、正確なＵＲＬアドレスを覚える必要なくこれらのウェブサイトおよびページを再訪できる。しかしながら、これらのリンクは、格納された時にユーザが使用していたコンピュータ（ウェブクライアント）上にローカルで格納される。ユーザが職場や、他所訪問中や、インターネットカフェもしくは図書館等で異なるコンピュータを使用した場合、これらのリンクへはアクセスできない。
【０００３】
また、メニュー上でのクリックもしくはメニュー上へのカーソル移動等、所定の機能をユーザが完了した時にサイトのｈｔｍｌを改変する、いわゆる「ダイナミック」ｈｔｍｌを利用したウェブサイトの提供が周知である。しかしながら、ｈｔｍｌは、ユーザではなく、ウェブデザイナーにより定められたように改変されるのであって、そのため、ユーザのニーズとは無関係に、いつでも同じように改変される。
【発明の開示】
【発明が解決しようとする課題】
【０００４】
本発明は、かかるシステムの改良の提供を目的とし、特に、格納されたリンクを独立したコンピュータ上で使用することを望むユーザの支援を目的とする。また、本発明は、作成および／または改変可能なウェブページおよび／またはブラウザのフォーマットエリアの提供を目的とする。
【課題を解決するための手段】
【０００５】
本発明の第１の局面によれば、メモリを備えるとともに、好ましくはウェブページを移動するために、遠隔ユーザによって使用されるインタフェースを提供するウェブサーバであって、インタフェースの外観および／または機能などを遠隔ユーザが編集可能／改変可能なウェブサーバが提供される。
【０００６】
インタフェースは、遠隔ユーザがウェブページへアクセスするのに使用可能な、ウェブページへのショートカット等のウェブリンクを含むのが好ましく、より好ましくは、リンクは遠隔ユーザによって作成、削除、および／または編集できる。
【０００７】
インタフェースは、少なくとも部分的に外観を遠隔ユーザが改変可能なフォーマットエリアを備え、より好ましくは、ユーザは、ウェブサーバのメモリに格納された利用可能な外観のリストから、エリアの外観を選択してもよい。更に、メモリに格納されたフォーマットエリアの外観のリストは、ウェブサーバとは遠隔に、追加またはその他の編集が可能であるのが好ましい。
【０００８】
インタフェースは、ドロップダウンメニューの形式等のダイナミックｈｔｍｌを備えるのが好ましく、ダイナミックｈｔｍｌをユーザが遠隔にて編集でき、編集されたダイナミックｈｔｍｌを遠隔ユーザが使用できるのがより好ましい。更に、ダイナミックｈｔｍｌは、インターネット経由で完全に編集および使用できるのが好ましい。
【０００９】
ウェブサーバによってユーザが実行できるいかなる動作も、ウェブサーバにアクセスしているユーザの場所、および／またはコンピュータ、および／またはローカルメモリとは独立して行うことができるのが好ましい。
【００１０】
ウェブサーバは複数のユーザが使用できるのが好ましく、各ユーザを識別可能で、その識別に依存してインタフェースが各ユーザに提供されるのがより好ましく、更に、１人の識別されたユーザが行った編集が、別の識別されたユーザとは独立して、ウェブサーバメモリに格納され、識別されたユーザのそれぞれについて格納された編集に対応するインタフェースが、そのユーザに提供されるのが好ましい。
【００１１】
本発明の第２の局面によれば、ダイナミックｈｔｍｌを組み込んだウェブページをホスティングするウェブサーバであって、遠隔にてウェブページを閲覧するユーザがダイナミックｈｔｍｌを編集可能なウェブサーバが提供される。
【００１２】
本発明の別の局面によれば、個人への電子マーケティングを容易に行う方法であって：ウェブサーバを介してアクセス可能な各個人用の電子アドレスをセットアップするステップと；前記個人の電子アドレスにアクセスするために、前記個人に対して、ユーザ名およびパスワード等のセキュリティ情報を入力するように要求して、インターネット経由で複数の異なるコンピュータから前記電子アドレスがその対応する個人についてアクセスできるようにするステップと；各個人についての情報を要求および格納するステップと；前記格納された情報に基づいて第三者が各個人を選択できるようにするステップと；広告等のマーケティング素材を、前記選択された各個人の前記電子アドレスへ第三者が送信できるようにするステップと；選択された各個人からのフィードバックを要求するステップと；フィードバックを第三者へ中継し、マーケティング素材のその個人への送信を続行するか否かを第三者が判断できるようにするステップと；を備える方法が提供される。
【００１３】
本発明、および／または本発明のインタフェースは、ウェブサイト、ウェブページ、ブラウザ、および／またはブラウザプラグインを備えてもよい。
【００１４】
本明細書に記載した本発明に関する特長は、本発明の独立的または従属的な特長の範囲を画定するよう、いずれも、本明細書に記載の他のいずれかの特長と組み合わせてもよい。
【発明を実施するための最良の形態】
【００１５】
図１は、ウェブサーバ１２、オペレータＰＣ１４、クライアントＰＣ（パーソナルコンピュータ）１６および１８、ならびにユーザＰＣ２０、２２および２４を備える本発明に係るシステム１０を示す。
【００１６】
ウェブサーバ１２は、クライアント識別データベース２７、ペンディングスキンデータベース２８、ライブスキンデータベース３０、ユーザ識別データベース３２、およびユーザ情報データベース３４を含むメモリと通信するプロセッサ２６を備える。メモリ内には、一つまたはそれ以上のデータベース２８、３０、３２および３４にそれぞれ対応する多数のウェブページ３８、４０、４２、４６、４８および５０が格納され、各ウェブページは、オペレータＰＣ１４、クライアントＰＣ１６および１８、またはウェブユーザＰＣ２０、２２および２４等の遠隔ＰＣからの要求に応じて送信される。
【００１７】
各ユーザＰＣ２０、２２および２４はローカルＰＣメモリ３６を含んでいる。ローカルＰＣメモリ３６はウェブブラウザを格納し、ブラウザは、ウェブサーバ１２からのウェブページを要求できるとともに、これらのウェブページを介してウェブサーバ１２と通信できる。
【００１８】
各ユーザＰＣ２０、２２および２４は、個別のウェブページまたは複数のウェブページ３８、４０および４２を介してウェブサーバ１２と相互接続される。ウェブページ３８、４０および４２は、識別データベース３２に格納された情報に対応し、それにより、個別のウェブページまたは複数のウェブページ３８、４０および４２のそれぞれが、ユーザＵに対応する情報と固有に一致する。識別データベース３２はユーザ情報データベース３４と通信し、それにより、ユーザ情報データベースから各識別ユーザに特有の情報を、それぞれのウェブページ３８、４０または４２上に表示する。
【００１９】
また、ウェブサーバ１２からクライアントＰＣ１６および１８への通信チャネル４４が存在する。通信チャネル４４は、ユーザウェブページ３８を介してユーザＰＣ２０により使用可能で、クライアントＰＣ１６または１８と通信する。通信チャネル４４は、Ｅメール等の電子メッセージをクライアントＰＣ１８へ送信可能にするメールサーバの形態であってもよい。
【００２０】
また、クライアントＰＣ１６および１８もウェブブラウザを備え、ウェブサーバ１２からのクライアントウェブページ４６および４８を要求するのに、これらのウェブブラウザを使用可能である。クライアントＰＣ１６および１８は、これらのウェブページ４６、４８を介してクライアント識別データベース２７と相互接続できる。
【００２１】
また、オペレータＰＣ１４もウェブブラウザを備え、このウェブブラウザは、ウェブサーバ１２からの単数または複数のオペレータウェブページ５０を要求および操作するのに使用できる。オペレータＰＣ１４は、オペレータウェブページ５０を介して、ペンディングスキンデータベース２８に格納された情報を閲覧できるとともに、ライブスキンデータベース３０へ情報を送信できる。また、第１通信チャネル４４と同様のオペレータ通信チャネル５２も存在し、オペレータのＰＣがＥメール等の電子メッセージをウェブページ５０を介してクライアントＰＣ１６または１８へ送ることを可能にしている。
【００２２】
図２ａは、ログイン時にユーザに提示され、ユーザウェブページ３８の１つを形成する典型的なホームページ１００の要素を示す。ホームページ１００は、第１フレーム１０２および第２フレーム１０４の２つのフレームを備えている。図２ａに示す特定の実施の形態では、第１フレーム１０２は、強調表示されたページの８％を占有し、ＰＨＰコーディングにより生成されたテーブル形式のｈｔｍｌを含む。第１フレーム１０２は、ウェブページ１００のうち、各辺が平行である水平な一片を占有している。代替の実施の形態では、第１フレーム１０２は、ウェブページ１００の左側または右側を上下に走る垂直セクションであってもよいし、ページ１００の全体に対して、典型的にはページの５％から２５％前後までのいずれかの割合を占有するものであってもよい。
【００２３】
第１フレーム１０２は左側部１０６および右側部１０８を備えている。左側部１０６は、ロゴ、トレードマーク、およびウェブサーバ１２を運営する会社に関するその他の情報を含み、また、送信ボタンを伴うテキストボックスを含むんでいてもよい。右側部１０８は、この例ではページ１００の全幅７００ピクセルに対して５００ピクセルを占有しており、図２ａの構成では一連のメニュー見出しとしてユーザＵに表示される、ダイナミックｈｔｍｌのメニューを含む。また、右側部１０８は第１フォーマットエリア１１２を備え、その外観は本明細書で後述するようにユーザＵにより選択可能である。
【００２４】
図２ａの第２フレーム１０４は、ページ１００の９２％を占有しているが、典型的にはウェブページエリアの９５％前後から約７５％までを含み得る。また、第２フレーム１０４も、ＰＨＰコーディングの使用等、埋め込みスクリプティング言語により生成されたテーブル形式のｈｔｍｌを含む。第２フレーム１０４は左側部１１４および右側部１１６を備えている。左側部１１４は、左側部１０６と同幅であるとともに、人気検索エンジンウェブサイトへのユーザ構成可能なリンクや、ユーザＵが選択できる各種カスタマイズフォーマットエリアへのリンクを含む。
【００２５】
第２フレーム１０４の右側部は第２フォーマットエリア１１８を備えている。
【００２６】
図２ｂは、ログイン時にユーザに提示され、ユーザウェブページ３８の１つを形成する代替ホームページ１００’の構成の要素を示す。ホームページ１００と同様の、または同一の要素は、同じ符号に「’」を付して示す。適用可能な場合、以降の図面の説明は、ホームページ１００と同じく、ホームページ１００’およびその要素にも等しく適用する。ホームページ１００’は３つのメインセクションを備え、それらはそれぞれ２つ以上のフレームを備えることもできる。図２ｂに示す特定の実施の形態では、第１セクション１０２’は、ページの最上部エリアを占有し、ユーザＵのブラウザ環境へ配信できる第三者クライアントウェブコンテンツを含んでもよい。このコンテンツは「バー上部」コンテンツと呼ばれ、その外観は、第１フレーム１０２と同様に、本明細書で後述するようにユーザＵにより選択できる。
【００２７】
第２セクション１１０’は、図２ｂの構成では一連のメニュー見出しとしてユーザに表示される、ダイナミックｈｔｍｌのメニューを含む。
【００２８】
図２ｂの第３セクション１０４’は、ページ１００’のメインエリアを占有する。また、この第３エリア１０４’は、ユーザのブラウザ環境へ配信される第三者クライアントウェブコンテンツも含む。このコンテンツは「バー下部」コンテンツと呼ばれ、その外観は、第２フレーム１０４と同様に、本明細書で後述するようにユーザＵにより選択可能である。「バー下部」コンテンツは、同じ第三者コンテンツオーナーにおいて、「バー上部」に表示されるコンテンツへ関係付けリンクしていてもよい。
【００２９】
第１セクション１０２’と第２セクション１１０との間には追加フレームを配置してもよい。図２ｂの例では、２つのクライアントブランドエリア４０１および４０２、典型的なブラウザ機能を組み込んだブラウザ機能エリア４０３、人気検索エンジンウェブサイトへのリンクを持つ部分１１４’、ならびに検索入力４０４がある。
【００３０】
図３を参照すると、ダイナミックメニュー１１０内にリンクとして格納されるショートカットによって、ウェブサイトを選択する処理が示されている。ステップＳ１２２において、ユーザＵは、一般的にはマウスでクリックすることにより、ダイナミックメニュー１１０を選択する。これにより、第１および第２フレーム１０２および１０４は図４で示すようにサイズ変更される。
【００３１】
図４ａでは、第１フレーム１０２が大幅に拡大されてウェブページ１００の９０％を占有するとともに、第２フレーム１０４は、それに応じて、ウェブページ１００の約１０％にまでサイズが縮小されていることがわかる。
【００３２】
左側部１０６は、選択可能なフォーマットエリア１１２とともに、同じサイズのままである。しかしながら、ダイナミックメニュー１１０の占有エリアは大幅に増加している。メニュー１１０を構成するダイナミックｈｔｍｌは、図２ｂで表示されているようにメニュー見出しのみを示す小エリアが、メニュー１１０を選択することによって、図４ａに示す完全なドロップダウンメニュー１２０に置き換えられるように構成される。ドロップダウンメニュー１２０は、実際上は他のウェブページへのショートカットであるリンクを含む。
【００３３】
図４ｂでは、そのステップがホームページ１００’に適用されていて、第２セクション１１０’が大幅に拡大されて可視エリアのより多くを占有している。このセクション１１０’はここでは、ドロップダウンメニュー１２０’をユーザに見せる拡張エリアを示している。第３エリアフレーム１０４’はそれに応じてサイズが縮小される。
【００３４】
ドロップダウンメニュー１２０’では、「ショートカット」グラフィックアイコン１６６’が他のウェブページへのリンクを形成している。ユーザＵは、ドロップダウンメニュー周辺でこれらのアイコンを配列および「ドラッグ」して、これらのアイコン１６６’を所望の場所に配置できる。システム１０は、隠し０ピクセル高さフレームにおいてスクリプトを起動させることにより座標を記録し、この情報をユーザ情報データベース３２に格納することによって、これらのアイコンが配置されている場所を記憶する。これにより、次回ログイン時には、ユーザＵが異なるコンピュータからブラウザ環境へアクセスする場合であろうと、ユーザＵ用に残置されていた正確な位置にアイコン１６６’が再現される。
【００３５】
次のステップＳ１２５において、ユーザＵは、ドロップダウンメニュー１２０エリア内でリスト化されているものの中からウェブサイトを選択する。ステップＳ１２６において、選択されたウェブサイトがフレーム内で開くことが許可されているならば、処理はステップＳ１２８へ続く。しかしながら、特定のウェブサイトはユーザによるフレーム内での閲覧を許可しておらず、この場合は、ステップＳ１３０において、選択されたそのウェブサイトによって新しいウィンドウが開かれる。別の実施の形態では、ウェブサイトリンクをドロップダウンメニュー１２０へ格納する際、そのウェブページの選択時に新しいウィンドウ内でウェブページが開くようにユーザＵが指定することも可能である。
【００３６】
ステップＳ１２８において、第１および第２フレーム１０２および１０４は、ドロップダウンメニュー１２０が可視エリアから消えるとともに、図２ａに示す元のサイズに戻る。第２フォーマットエリア１１８は、ここでは、選択されたリンクが対応するウェブページを含む。ダイナミックメニュー１１０が再度選択されると、フレーム１０２および１０４は、再度、図４ａに示すサイズにサイズ変更される。しかしながら、フレーム１０４の第１フォーマットエリア１１２内に表示されているウェブページは表示され続ける。
【００３７】
選択されたウェブページが第２フォーマットエリア１１８内で（または新しいウィンドウ内で）ユーザＵに対して表示される一方、その表示されるウェブページがウェブサーバ１２に知らされることはない。これは、現在のブラウザのほとんどが備える既知の固有セキュリティ機能のためであり、いかなるｊａｖａスクリプトまたはその他の機能も、別のフレームからの外部フレーム内では実行できないようになっている。そのため、本発明のウェブページ１００が第１フレーム１０２内に常駐している間は、ウェブサーバ１２が、第２フレーム１０４内で現在表示中のウェブアドレスを問い合わせることはない。
【００３８】
ユーザＵは、ホームページ１００’を使用する際、検索入力エリア４０４に検索テキストを直接入力してもよい。これにより、セットアップ詳細でデフォルトの選択お気に入りエンジンとして指定された、ユーザの選択による検索エンジンに基づく検索結果がエリア１０４’内に表示される。
【００３９】
ユーザは、また、検索エンジンボタン１１４’を選択して、ユーザが選択した検索エンジンのリストを表示する別のポップアップウィンドウを開くこともできる。このウィンドウは、リスト化された検索エンジン毎の検索ボックスを提供し、入力がなされると、エリア１０４’にロードされた結果を表示するとともに、その別ウィンドウをユーザが利用可能な状態で残しておく。このため、ユーザは異なる検索エンジン間で検索結果を容易に比較できる。
【００４０】
図５は、ユーザＵがシステム１０へログインする処理を示す。ステップＳ１３２において、ユーザがログインすると、ステップＳ１３４において、彼または彼女にスプラッシュページの形態であってもよいログインページが提示される。ステップＳ１３６において、ローカルＰＣメモリ３６内に何らかのユーザ名が登録されているか否かを判断する。登録されている場合、処理はステップＳ１３８へ進み、登録されていない場合、処理装置はステップＳ１４０へ進む。
【００４１】
ステップＳ１３８において、ローカル設定に依存して、格納されているユーザ名のリストがウェブページ３８上でユーザＵに対して表示される。該当するユーザ名ＵＮがユーザＵにより選択されると、処理はステップＳ１４２へ続く。ステップＳ１４０において、ユーザウェブページ３８の一部を形成するユーザ名ログインページで、ユーザ名が要求される。ユーザ名が入力されると、処理はステップＳ１４２へ進む。
【００４２】
ステップＳ１４２において、処理装置２６は、ユーザ識別データベース３２を検索することにより、入力されたユーザ名に対してパスワードが過去に入力されたことがあるか否かを判断する。パスワードが過去に入力されたことがない場合、システムはステップＳ１４４へ進み、パスワードが過去に入力されたことがある場合、処理は、ステップＳ１５０へ続く。
【００４３】
ユーザＵは、ステップＳ１４４においてパスワード、そしてステップＳ１４６においてユーザ名を入力する。ユーザＵは、また、誕生日および／または連絡可能なＥメールアドレス等、追加的なユーザ名アカウント情報を入力するように要求または要請されてもよい。次に、ステップＳ１４８において、このパスワードおよびユーザ名アカウント情報が、ウェブサーバからユーザ名アカウントの格納されたＥメールアドレスへ送信される。ユーザＵは、ステップＳ１３２において、再ログインし、受信した情報を入力しなければならない。
【００４４】
ステップＳ１５０において、ユーザＵが自分のパスワードを入力すると、処理装置２６は、ステップＳ１５２において、これらの詳細がユーザ識別データベース３２に格納されているものと正確に対応しているか否かを判断する。対応していない場合、ユーザはステップＳ１４２へ戻され、対応している場合、ステップＳ１５４において、ユーザはログインに成功する。
【００４５】
代替の実施の形態では、ユーザＵは、ブラウザまたはコンピュータデスクトップショートカットを介して本発明にアクセスする場合、自分のユーザ名および／またはパスワードをＵＲＬアドレスの一部としてタイピングすることにより、ログインページを迂回してもよい。
【００４６】
セキュリティ上の理由から、所与のユーザ名のいずれの１つについても、ただ１人のユーザＵしか一度にログインできないようにシステム１０を構成できる。これによれば、ユーザＵが自分のユーザ名でログインしている間は、同じＰＣ上であろうと異なるＰＣ上であろうと、異なるブラウザから同じユーザ名でログインすることはできない。これは、ユーザのユーザ名が使用中はロックされることを示す、データベースフラグを使用することにより達成される。この機能は、マルチアクセスログインにより、個別の閲覧ではなくグループで同時に閲覧できるように発行するデータを１人が作成する可能性を排除するものである。
【００４７】
ユーザ名アカウントをロック解除するためには、ユーザは、先ず、第１フレーム１０２内から、ログアウトを選択するか、リンクを閉じるかのいずれかにより、ログインしているウェブサイト３８を退出、または閉じなければならない。この正しい方法でユーザがサイトから退出できなかった場合は、オンライン要求によりロック解除コードを入力しなければならない。ユーザは、自分のユーザパスワードを提示して、ロック解除コードをＥメールアドレスへ要求できる。そして、このロック解除コードを使用して、アカウントのロック解除を行う。このロック状態が発生する毎に、新しいロック解除コードが必要とされるのが好ましい。
【００４８】
第１回目のログイン時に、ユーザは固有のユーザ識別番号を与えられる。固有ユーザ識別番号は、ユーザ名およびパスワードとともに、ユーザ識別データベース３２に格納される。この固有ユーザ識別番号は、性別、誕生日および年齢、ならびにユーザのブラウザの参照番号等、ユーザ情報データベース３４に格納されているあらゆる個人詳細を持つ、特定の識別ユーザについてタグ付けされる。
【００４９】
ユーザ識別データベース３２の該当部分にアクセスして固有のユーザ識別番号を抽出するため、他のウェブサーバがウェブサーバ１４と通信できる。かかる他のウェブサーバは、その番号を以下のように使用して、それらのウェブサーバがホスティングしているウェブサイトを追跡できる。リンクの使用またはＵＲＬアドレスバー２６へのタイピング入力のいずれかにより、本発明のウェブページ３８を通じて、ユーザＵが該当する外部ウェブサイトにアクセスすると、ログインユーザＵの固有ユーザ番号が、その外部ウェブサイトを運営しているウェブサーバに必ず通知される。
【００５０】
外部ウェブサーバは、そのウェブページ内に何らかのコードスクリプトを配置して、そのウェブサイトページのロード先であるフレーム１０４に割り当てられる「フレーム名」番号を取得することにより、これを実行できる。
【００５１】
この動作の結果、外部ウェブサーバのウェブサイトは、そのサイトのページをロードした特定のユーザＵのホームページ１００と、そのユーザのブラウザに割り当てられたサーバログインセッション番号との組み合わせに固有の番号を取得する。
【００５２】
外部ウェブサーバは、次いで随時要求によりこの番号をウェブサーバ１４へ送信するよう選択してもよい。ウェブサーバ１４は、先ず、クライアント識別データベース２７内の情報を用いて、外部ウェブサーバのアカウント番号およびパスワードを検証する。アカウントの検証に成功すると、サーバ１４は次いで、ユーザ情報データベース３４を照会して、外部ウェブサーバの要求により送信された固有の番号に割り当てられたユーザ詳細を設定する。
【００５３】
ウェブサーバ１４は、次いで、要求を行った外部ウェブサーバに対して随時の返信を行い、そのサーバのウェブページをロードしたユーザＵに関する詳細を提供する。そのデータの詳細は、法的に匿名性を保ちつつも、ユーザのプロフィールおよび参照番号を固有に識別できる程度に詳細なものでよい。
【００５４】
固有の識別参照番号を埋め込む方法の一例を以下に示す。ここで、固有識別番号はＡＵＩを用いて表しており、ウェブサイト３８、４０、４１２、１００、１００’のアドレスはwww.system.infoである。
<script language="javascript">
<!--
function AUIQuery(){
logID = window.name;  // 「ＡＵＩ（ｎ）」と表される文字列がサイトに与えられる
if(logID.slice(0,3) != 'AUI') return false;  // 与えられた文字列を分解して、固有番号が最初の３文字であるか否かを検討する。そうでない場合、サイト訪問者はシステム１０の登録ユーザＵではない。
logID = logID.slice(3) ;  // フレーム文字列の残りの数値部分を変数logIDに割り当てる
oawID = 1000;  // ウェブサイトのクライアントアカウント番号であり、それ自身のデータベースにより生成されることになろう
url=''http://www.system.info/oa_aui_query.php?oaacc=45881773&oausr=w3ilnusername&oapwd=w3ilnpassword&oalog="+logID+"&oasuc=http://www.w3iln.com/success.php&oaerr=http://www.w3iln.com/failure.php&oawid="+oawID ;  // 変数リストを参照
window.open(url) ;
return true ;
}
-->
</script>
【００５５】
外部ウェブサーバがシステム１０へロードされる際、そのウェブサイトはログＩＤを照会できる。システム１０は、その技術情報の一部として、アカウントを作成する際に使用するコードおよび変数をウェブサイトに与える。
【００５６】
ウェブサイトは、次いで、以下の変数をシステム１０のＵＲＬに付加して、上記ページを呼び出さなければならない。
oaacc = ウェブサイトアカウント番号
oausr = ウェブサイトアカウントユーザ名
oapwd = 外部ウェブサイトアカウントパスワード
oalog = ユーザフレームセットからのシステムユーザログＩＤ
oaweb = 外部ウェブサイトがユーザＩＤ番号の返送を希望するフルＵＲＬ（ＳＳＬ）およびファイル名
ouerr = システム１０がウェブサイトのアカウント番号oaaccおよびパスワードoapwdの検証に成功しなかった場合に戻るべきページのフルＵＲＬおよびファイル名（ＳＳＬ）
oawid = 外部ウェブサイトが自らのユーザサイトセッションを識別するために生成可能な固有の番号。
oaaui = システムユーザＵのＩＤ番号
oaref = この照会例で生成された固有のトランザクション番号
oacrd = 識別照会用に残っているウェブサイトアカウントクレジット数
以上より、Ｙａｈｏｏ等のクライアントウェブサイトが行うＵＲＬ提示は（ＳＳＬ）であろう。
https://www.system.com/aui/system_aui_query.php?oaacc=theaccountnumber&oausr=theusername&oapwd=thepassword&oalog=theuserlogID&oaweb=https://www.websitename.com/sucessfilename.ext&oaerr=https://www.websitename.com/errorfilename.ext&oawid=number
【００５７】
システム１０は、この情報をページsystem_aui_query.php上で受信すると、サーバ１４上のoaaccアカウント詳細に対して、外部ウェブサイトのoaacc＋oapwdの検証を行う。
【００５８】
ユーザ名／パスワードの検証が成功した場合、システム１０は、次のように、外部ウェブサイト成功ページへＵＲＬタグを提示する。
https://www/websitename.com/sucessfilename.ext?oawid=number&oalog=userlogid?oaaui=userID&oaref=number &oacrd=number
oacrd = このＡＵＩ照会の作成時点で１つ差し引いた後に残るクレジット数
【００５９】
ユーザ名／パスワードの検証が成功しなかった場合、次のように、ウェブサイトのエラーページへＵＲＬタグが提示される。
https://www.websitename.com/errorfilename.ext?oawid=alphanumeric?oalog=userlogid?oaref=number?oacrd=number
＋システム１０は、oaref記録にフラグを立ててエラートランザクションとし、oaaccアカウントクレジットからはクレジットを差し引かない。
【００６０】
従来、ウェブサイトは、ユーザトラフィックを監視し、「クッキー」に基づいて設定をカスタマイズするように試みている。クッキーとは、ユーザのＰＣへ保存される少量のデータであり、そのＰＣのユーザがそのサイトを再訪する度に確認されるものである。クッキーが検出されると、ウェブサーバは、第１に、そのクッキーをダウンロードしたユーザの個人的な好みに合わせてページを構成でき、第２に、何度、どれが、いつ、そのサイトを訪れたかを計測できる。しかしながら、クッキーは、各個人間の識別は行わず、使用されているコンピュータをウェブサーバに通知するのみである。多くの会社およびウェブサイト提供者は、コンピュータではなくユーザに関心を持っている。特に、一家庭に何人かがいる場合、クッキーは、その家庭を通知するのみで、そのコンピュータをどの人が使用しているかは通知しない。職場、家庭、インターネットカフェ等で、異なるコンピュータを頻繁に使用する人々の場合は、かかるユーザが複数の異なるクッキーを有することになり、関連するウェブサーバポイントに異なるユーザとして認識されてしまう。異なるＰＣを初めて使用したユーザは、そのサイトを以前に何回も使用していたとしても、クッキー検出がもたらすであろうウェブサイトのカスタマイズの恩恵には全く授かれないだろう。
【００６１】
クッキーは、ユーザのＰＣ上に格納されるため、ユーザにより削除されることもでき、それにより、ウェブサイトが格納した、そのＰＣに関するいかなる情報も除去される。ウェブサーバは、データベース３２からアクセスされる固有のユーザ識別番号を使用することにより有益に、自らがホスティングするウェブサイトを特定の人（システム１０へログインするためのパスワードおよびユーザ名を有していた人）向けに構成できるとともに、システム１０を介してそのサイトを使用するユーザの使用頻度、使用量、およびユーザ数を正確に記録できる。
【００６２】
ユーザの身元を保護し、かつ様々な国々の関連するデータ保護法令、法律および規制に適合するため、年齢、性別等、どのような情報が第三者へ渡ってもよいかを本発明のユーザＵが指定できるのが好ましい。ユーザのこのような意向は、識別データベース３２内の識別番号にタグ付けされて、ユーザ情報データベース３４に格納できる。これにより、第三者ウェブサーバは、データベース３２からユーザ識別番号の確認を試みる場合、ユーザ情報データベース３４からも、性別および年齢等、そのユーザＵに対応する情報を受け取ることが可能だが、ユーザにより許可された情報のみ送信される。かかる情報が送信されると、外部ウェブサーバは、この情報を統計目的で使用できるだけでなく、その特定のユーザがシステム１０からそのウェブサイトへアクセスする度に、ユーザの性別、年齢または他の個人情報に基づいてサイトを構成できる。
【００６３】
ダイナミックメニュー１１０は、埋め込み型スクリプティング言語、好ましくはＰＨＰ等のサーバサイドスクリプティング言語を使用して生成され、好ましくはＭｙＳＱＬ等のＳＱＬに頼るリレーショナルデータベース管理システムへアクセスし、ｊａｖａスクリプトおよびダイナミックｈｔｍｌフォーマットを使用してメニュー１１０／１２０を構成する。ドロップダウンメニュー１２０は、データベースからデータを引き出し、ユーザ情報データベース３４に格納された、そのユーザ特有のデータに従ってメニュー構造を生成することにより、ページがリフレッシュされる毎に動的に生成される。
【００６４】
ドロップダウンメニュー１２０エリアは、また、メインの見出しの下に検索エンジンリンクを有してもよく、これらの検索エンジンリンクも、ユーザ情報データベース３４に格納された、ユーザにより構成された選択に基づいている。
【００６５】
図２ａに示す構成のダイナミックメニュー１１０は、２つの大見出しからなる。１つは、ユーザが好む検索エンジンを含む「メイン」と呼ばれるもので、もう１つは、以下に説明するように、第１フォーマットエリア１１２を変更するのに用いる「スキン」と呼ばれるものである。また、ダイナミックメニュー１１０は、典型的には４つの更なるメニュー見出しを有し、それらは、動的に名前変更が可能な機能を有する更なるオプションのサブディレクトリを伴って、動的に名前付与が可能である。
【００６６】
異なる実施の形態では、ディレクトリ構造および格納されたリンクを画面左側下部にテクスチャフォーマットで表示する機能もある。このフォーマットでは、メインメニューの見出し数の制限はないが、ドロップダウンメニューでは、典型的には４つに制限される。このサイドメニューは、例えば、ｊａｖａスクリプト、ＰＨＰ、および、ＭｙＳＱＬ等の適切なリレーショナルデータベース管理システムを伴うＡｃｔｉｖｅＸコントロールを使用してアクセスできる。
【００６７】
ダイナミックメニュー１１０の構造において、ユーザは望むだけ多くのウェブサイト名を作成でき、各物理アドレスは、メニュー１１０で表示する目的のため、リンクされた名前を有する。メニューリンクは、メインメニューによりアクセス可能な、図６に示すようなセットアップページ１５７を介して生成および改変できる。
【００６８】
図６は、セットアップページ１５７が、ダイナミックメニュー１１０として表示される各見出しに対応する４つのタブ１５８、１６０、１６２、および１６４を備えることを示す。図６ではタブ１６２が選択されている。第１タブ１６２が選択された状態のページから、タブ１６２の見出しに対応するドロップダウンメニュー１２０が、現在のところ２つのリンク１６６および１６８を含んでいることが分かる。リンク１６６の各々は、ドロップダウンメニュー１２０でユーザに対して表示される名前１７０と、そのページへリンクするためシステム１０により使用される正確なＵＲＬアドレス１７２とを有する。これらのリンク１６６および１６８は、ボタン１７４および１７６を使用して更新または削除できる。
【００６９】
また、新規リンク作成部１７８には、該当する名前１７０およびＵＲＬ１７２を入力し、作成ボタン１８０を押すだけで新規リンクを作成できる能力が提供されている。
【００７０】
タブ１５８、１６０、または１６４の選択により表示されるウェブページは、リンクの選択および数が異なり得ること以外は、タブ１６２のページと実際上同一である。見出しの名前付きタブを使用することにより、ユーザＵは、自分の好きなように関連するリンクを効果的にグループ化できる。
【００７１】
リンクの追加、削除、更新、または移動の処理を図７に示す。ステップＳ１８２において、ユーザはユーザメニュー１１０からセットアップオプションを選択し、ステップＳ１８４において、デフォルトで第１タブ１５８が選択された状態のセットアップページ１５７が表示される。しかしながら、ステップＳ１８６において、ユーザはその他のタブ１６０、１６２、または１６４のいずれかを選択できる。ステップＳ１８８において、ユーザＵは、終了ボタン１８１を押して処理を終了できる。
【００７２】
正しいタブが選択されると、ユーザＵは、ステップＳ１９０の新規リンクの作成、ステップＳ１９２の既存リンクの修正、ステップＳ１９４の既存リンクの削除、ステップＳ１９６の自分のＰＣのメモリからのリンクのインポート、およびステップＳ１９８の既存リンクの移動の各オプションを有する。
【００７３】
ステップＳ１９０において、ユーザＵは、新規リンク作成部１７８に該当する名前１７０およびＵＲＬ１７２を入力する。ＵＲＬは、domain.tld、www.domain.tld、またはhttp://www.domain.tldと入力可能で、それら３つは全て、http://www.domain.tldと表示される。しかしながら、http://domain.tldと入力した場合、ｗｗｗは不要と判断され、ＵＲＬはタイピングした通りに格納される。
【００７４】
ステップＳ１９２において、名前１７０または１７２を変更し、更新１７４ボタンを押すだけで既存リンクが修正され、一方、ステップＳ１９４において、削除ボタン１７６を押すだけで既存リンクが削除できる。ステップＳ１９８において、移動ボタン１７７を押し、図１４に示すページ１７９を使用してユーザが望むリンク移動先のタブを入力することにより、既存リンクを異なる見出しへ移動できる。
【００７５】
ステップＳ１９６におけるユーザのＰＣからのリンクのインポート機能は、ユーザのブラウザがこの機能をサポートしているか否かに依存する。かかる機能は、現在のところインターネットエクスプローラによりサポートされており、ボタン１７９を押すことにより選択できる。この機能は、ユーザ自身のブラウザのメモリに格納されたお気に入りをウェブブラウザへアップロードし、これらのリンクをダイナミックメニュー１１０に組み込む。
【００７６】
ステップＳ１９０、Ｓ１９２、およびＳ１９４が完了すると、ユーザは自由に、ステップＳ２００において、このタブから別のリンクを追加、修正、削除、インポート、もしくは移動でき、またはステップＳ１８６へ戻れる。ステップＳ１９８が完了すると、ユーザは、ステップＳ２０２において、出現するポップアップ画面により該当するディレクトリを入力しなければならず、その後、ステップＳ１６５へ戻る。
【００７７】
ステップＳ１８６における選択が終了すると、ユーザ情報データベース３４（ＭｙＳＱＬ）に格納された該当する情報を改変することにより、ユーザＵによりなされた変更が実施される。その結果、スクリプティング言語（ＰＨＰ等）により生成されたダイナミックメニュー１１０は、改変された情報にアクセスし、改変されたダイナミックｈｔｍｌを表示する。例えば、ユーザＵがリンクを追加した場合該当する見出しが選択されると、この新規リンクの格納された名前がドロップダウンメニュー１２０に表示される。
【００７８】
ユーザＰＣメモリ３６からリンクをインポートする処理をより詳細に図８に示す。ステップＳ１９６において、ユーザがお気に入りインポートリンクを選択すると、ステップＳ２０６において、新しいページが表示される。ステップＳ２０８において、図９に示すようなポップアップウィンドウ２１０がユーザに対して表示され、そこからファイルurlgen.batをダウンロードしなければならない。
【００７９】
ステップＳ２１２において、ユーザＵは、ハードディスクドライブ等、自分のＰＣメモリ３６上の所望のディレクトリを選択し、そこにファイルurlgen.batを保存する。ステップＳ２１４において、ユーザが続行を望む場合、彼／彼女はＯＫを選択する。ステップＳ２１６において、ダウンロードが成功したか否かを判断する。成功しなかった場合はステップＳ２０６へ戻り、成功した場合はステップＳ２１８へ続く。
【００８０】
次に、ステップＳ２２０において、ユーザは、urlgen.batファイルを保存したディレクトリにアクセスし、（ダブルクリック等により）このファイルを実行しなければならない。起動されると、urlgen.batファイルは、ＰＣ２０、２２、または２４上の同じディレクトリに新しいファイルurllist.txtを作成する。
【００８１】
ユーザは次いで、ステップＳ２２４において、ページ２１０上でアップロードリンク２２３を選択し、ステップＳ２２６において、自分のＰＣディレクトリをブラウジングすることにより、ファイルurllist.txtを選択する。ステップＳ２２８において、送信ボタン２２５が選択され、urllist.txtファイルがウェブサーバ１２へアップロードされる。ステップＳ２３０において、処理装置２６は、ユーザ情報データベース３４へのファイルのアップロードが成功したか否かを判断する。成功しなかった場合、処理はステップＳ２２４へ戻り、成功した場合は処理を続行する。
【００８２】
ステップＳ２３２において、ユーザＵは、図１０に示すような、要求した各リンクのＵＲＬリストを提示される。
【００８３】
次に、ステップＳ２３４において、ユーザＵにウェブページ２２７が表示され、ユーザＵは、ダイナミックメニュー１１０へのインポートを望む各リンクについて、テキストボックス２２９内で論理名を作成する。次いで、ステップＳ２３６において、ユーザＵは、「メニュー番号格納」部２３１における該当する丸をクリックすることにより、関連リンクをタブ１５８〜１６４のいずれに表示することを望むかを選択する。
【００８４】
ステップＳ２３８において、ユーザＵは、「なし」の丸２３３を選択することにより、１つまたはそれ以上のリンクをダイナミックメニュー１１０へアップロードしないようにすることも可能である。ステップＳ２４０において、ユーザが送信ボタン２２５を押すと、ステップＳ２４２において、リンクエリアがダイナミックメニュー１１０へインポートされるとともに、ユーザはセットアップページ１５７へ戻される。セットアップページ１５７は、図１２で示すように、既存のリンクとともに、インポートしたリンクを表示している。あるいは、ステップＳ２４４において、ユーザは、いずれのリンクもダイナミックメニュー１１０にインポートしないキャンセルを選択してもよい。
【００８５】
インポートされたリンクは、インポートされたタブに固定されているのではなく、図１３に拡大図で示す移動ボタン１７７を選択することにより、既存のリンクと同様の方法で移動できる。
【００８６】
クライアントＰＣ１６または１８を使用するクライアントは、本明細書では「スキン」と呼ばれ、第１フォーマットエリア１１２の形成を意図するバックグラウンドを作成できる。ユーザＵが使用するためのスキンを提出するには、クライアントは、ウェブサーバ１２の管理者とのアカウントをセットアップしなければならず、好ましくは、その契約条件の遵守に合意するのが好ましい。
【００８７】
図１５は、クライアントがシステムへログインするための、クライアントウェブページ４６および４８の一部を形成するアクセスページ２５０を示す。このページ２５０は、クライアントＣに対して、アカウント番号、クライアント名、およびパスワードを２５２、２５４、および２５６にそれぞれ入力し、送信ボタン２５８を押してこれらを提出することを要求する。これらの詳細が正しく、クライアント識別データベース２７に格納された対応する情報と正確に一致する場合、クライアントには図１６に示すウェブページ２６０が表示される。代替の実施の形態では、クライアントはクライアントアカウントのサブアカウントを有し、スキンはこれらのサブアカウント内にある。
【００８８】
ページ２６０上ではクライアントＣが３つのオプションを提示され、それらは、新規スキンの作成オプション２６２、スキンのリスト／更新オプション２６４、およびアカウント明細確認オプション２６６である。
【００８９】
新規スキン作成オプション２６２を選択すると、クライアントは、５つのタブ２７０、２７２、２７４、２７６、および２７８を備えるクライアントページ２６８を提示される。図１７は、第１タブである新規スキン作成タブ２７０が選択された状態のクライアントページ２６８を示す。このタブ２７０が選択された状態で、クライアントは、カテゴリを選び、名前と流通制限、およびスキンの有効期限、ならびに場合によっては、作成したスキンの週当たりの料金を選択できる。代替の実施の形態では、クライアントはスキンを場所特定型に指定することも可能である。そのため、ユーザＵにより登録時に提供された、またはユーザのＩＰアドレスから判断されるユーザＵの居住国がクライアントにより指定された国でない場合、ユーザＵはそのスキンにアクセスできない。クライアントは、また、スキンを性別または年齢特定型に指定することも可能で、同様に、該当する指定された誕生日または性別が登録されたユーザのみがそれらのスキンにアクセスできることになる。更に、クライアントは、スキンが特定数または小グループのユーザのみによりアクセス可能であると指定することも可能で、あるいは、固有のユーザ識別番号に基づいて、どのユーザがスキンにアクセス可能かを指定することさえ可能である。これは、システム１０のオペレータがサービス、すなわちクライアントにスキンへのアクセスを許可することに対して課金する場合、特に有益である。クライアントは、自身のサイトをブラウジングしたユーザの固有ユーザ識別番号を使用して、発見した習癖に基づいて特定のユーザＵをターゲットにできる。それにより、クライアントは、特定のユーザおよび人口統計学によるユーザグループを直接ターゲットにできる従来のマーケティング手法により類似した方法で、ユーザに対してマーケティングおよび宣伝できる。
【００９０】
クライアントＣは、スキンを販売用スキンまたはダイレクトマーケティング（配信）用スキンのいずれに分類するかを指定できる。販売用スキンは、インストールするのにユーザＵが料金を支払う必要があり、一方、ダイレクトマーケティング配信用スキンは、エンドユーザには無料であり、クライアントに対して配信費用が発生する。
【００９１】
ダイレクトマーケティング用スキンを指定する場合、クライアントは、必要な料金を支払わねばならず、また、そのキャンペーンが基づくべき年齢、性別、およびユーザ情報データベース３４に格納されている他の特定の人口統計データを予め選択できる。クライアントは、プロファイルオプションにより特定される必要なユーザ配信数を購入することが可能で、スキンは、それに従って各ユーザアカウントへ配信される。
【００９２】
また、ウェブページ３８は、新しいスキンがアクセス可能になったときに、ページ３８上に関連する情報を表示することによりユーザＵへ通知できる。Ｅメールアドレスをデータベース３４に格納することもでき、ユーザにより許可されている場合、ＥメールアドレスをクライアントＣへ中継送信することにより、クライアントは、新しいスキンが入手可能なことをＥメールでユーザＵへ通知できる。代替として、いかなる他の適切な連絡手段を使用してもよい。
【００９３】
作成されたスキンは、また、固有のスキン番号２８０が自動的に割り当てられ、その番号により後で識別できる。また、ページ２６８は、重要なフィードバックを可能にするオプションを提供し、ユーザＵは、第１フォーマットエリア１１２にスキンをロードした場合、そのスキンについてコメントするメッセージをクライアントＣへ返送できる。
【００９４】
図１９は、第２タブである画像アップロードタブ２７２が選択された状態のページ２６８を示す。第２タブが選択された状態で、ユーザは、格納された画像を新しいスキンとしてアップロードできる。各スキンは３つのファイルを備え、それらは、ウェブサイトが選択されていない時か、または選択されているウェブサイトが別のウィンドウで表示されている場合に第２フォーマットエリア１１８に収まるよう設計されたバックグラウンドファイルと、第１フォーマットエリア１１２に対して使用するｈｔｍｌファイルと、左側部１１４に表示するｈｔｍｌファイルとである。これらのファイルの後者は、当然、図２ａおよび図３の両者に示す構成で表示できるよう可変長でなければならず、一方、第２フォーマットエリア１１８は、Ｊｐｅｇファイルとして添付される単純な写真であるのが一般的だろう。
【００９５】
また、クライアントは、スキンのロード時に幾つかの、例えば３つのウェブリンクが、ユーザメインメニューの下部に現れるように指定できる。
【００９６】
図１９に示すこの画像アップロードタブ２７２で、第２フォーマットエリア１１８に対応するＪｐｅｇファイルが選択およびアップロードされ、一方、図２０に示す第３タブであるメニューｈｔｍｌタブ２７４で、第１フォーマットエリア１１２に対するｈｔｍｌファイルが選択およびアップロードされる。そして、図２１に示す第４タブであるメインｈｔｍｌタブ２７６で、左側部１１４に対応するｈｔｍｌが選択およびアップロードされる。次に、図２２で示す第５タブであるプレビュータブ２７８をユーザが選択すると、アップロードされた画像のプレビューが、ユーザＵから見ているように表示される。
【００９７】
画像をアップロードする代わりに、ｈｔｍｌおよびグラフィックテーブルがある場所のＵＲＬアドレスをクライアントがアップロードすることにより、スキンデータベース２８および３０がスキンにアクセスできるようになる。これにより、クライアントは、クライアントＰＣ１６または１８上のファイルを変更することにより、コンテンツを更新することが可能であり、スキンは、ユーザＵのブラウザ帯域幅を介してクライアントＰＣ１６または１８からデータを引き出すＵＲＬアドレスから成る。
【００９８】
終了すると、クライアントＣは、これらの完成した３つのファイルをウェブブラウザ１２へ送信し、それらは、処理装置２６によりペンディングスキンデータベース２８に格納される。ウェブブラウザ１２のオペレータは、ペンディングスキンデータベース２８に格納されたスキンを閲覧することが可能で、結果として、提出されたスキンに承認を与え、または与えない。オペレータウェブページ５０を介してオペレータにより承認されると、承認されたスキンはライブスキンデータベース３０へ入力される。クライアントＣは、いつでもこれらのページ２６８に戻って、ペンディングスキンデータベース２８に格納されたスキンフォーマットに更なる変更を施すことができるが、そうするたびに、スキンは、ライブスキンデータベース３０に入る前にオペレータにより承認されなければならない。
【００９９】
図２３は、オペレータページ５０の一部を形成するページ２８４を示す。ページ２８４は、オペレータＰＣ１４からのみ、または要求されるパスワードを使用するオペレータによって任意のＰＣから、閲覧可能であるのが好ましい。ページ２８４上で、ウェブサーバ１２のオペレータは、提出されたスキンを閲覧することが可能で、スキンに承認を与え、承認された場合、スキンは、ライブスキンデータベース３０に入り、ユーザＵが選択できるようになるか、または承認せずオペレータの要件に適合すべくスキンを改変できるように、関連するコメントを通信チャネル５２を介してクライアントＣへ返送する。
【０１００】
また、代替の実施の形態では、クライアントＣは、ブランドエリア４０１に含むグラフィック画像を指定でき、およびエリア４０２に含むｈｔｍｌテーブルを指定できる。クライアントＣは、また、幾つかのテキスト項目およびウェブリンク（例えば３つまで）を指定して、ユーザのブラウザ機能エリア４０３内でユーザが見られるライブの「ティッカー」を形成できる。再度、このクライアントデータは独立したサーバ上に格納可能で、それにより、いつでも更新できるようになる。
【０１０１】
代替の実施の形態では、スキンは、オペレータウェブページ５０を閲覧するオペレータにより承認される必要はなく、クライアントにより直接ライブスキンデータベース３０へ送信される。
【０１０２】
図２４は、ユーザＵがスキンの変更、改変、または選択を望む際にユーザＵに提示されるクライアントページ３８の一部を形成する更新ページ２９０を示す。図２４において、第１タブ２９２は選択された状態を示しており、ユーザがスキンを管理できるようになっている。図から判るように、検討中のフォーマットエリアに表示されることになる、現在選択されているスキンが、そのスキン番号２８０、スキン名、有効期限、およびこの有効期限を延長する費用を示しつつ表示される。ユーザが過去に選択したことのある他のスキンも表示され、ユーザＵは、これらの格納されているスキン２９４の１つに選択を変更できる。
【０１０３】
次に、図２５に示すように第２タブ２９６を選択する。タブ２９６でユーザは新しいスキンを購入できる。ユーザＵは、スキン毎に入力されたカテゴリ別でライブスキンデータベースに格納されたスキンを閲覧できる。購入したスキンは、第１タブ２９０で表示されるリスト２９４に追加される。場所、性別、または年齢特定型スキンの場合、ユーザＵは、彼または彼女の登録詳細に対して許可されるスキンのみを閲覧できる。
【０１０４】
ユーザＵは、自分のホームページ１００へ配信させるスキンの申し出を受信することも可能である。かかる申し出の送信料金を送信者であるクライアントＣに負担させることも可能であり、また、システム１０は、ユーザの適性に基づいて、少量だが関連性が高い申し出のための使用が意図されている。
【０１０５】
この場合、ユーザは、送信されてきたスキン群のグラフィック表示を見て、各スキンの閲覧、インストール、または削除を選択できる。
【０１０６】
年齢特定型スキンは、適切と考えられるスキンのみに子供がアクセスできるようにするのに使用できる。スキンは、誕生日が特定日より前のユーザのみがそのスキンにアクセスできるというように階級分けできる。好適な実施の形態では、かかる年齢特定型スキンは、インターネット上の他のサイトへのアクセスを与えることなく子供がアクセスできる、子供のユーザに対して安全な環境を提供するのに使用できる。これを達成するため、かかる年齢特定型スキンは、エリア１１２に加え、エリア１０６、１１４、および１１６をカバーするように設計されている。  
【０１０７】
これらの「子供アクセス可能」スキンは、画面上にＵＲＬアドレスバーが存在せず、エリア１１６にウェブサイトが表示されないように設計されている。ドロップダウンメニュー１１０は残っているが、子供のアカウントは、メニュー１１０の「スキン」部は残っていて子供が適切なスキンにアクセスできるようになっているものの、「メイン」部および格納されたリンクは存在しないように構成されているのが好ましい。これにより、子供のユーザはスキンを介して他のウェブサイトへアクセスできない。
【０１０８】
子供アクセス可能スキンは、また、ユーザのブラウザのナビゲーションコントロールを隠すように構成されており、例えばポップアップウィンドウの形態であってもよい。子供がウェブページ３８へアクセスできる方法は、その子供に対する責任を負う大人が自分のコンピュータ／ユーザアカウントのどのようなセットアップを望むかに依る。しかし、一例として、子供のアカウントにアクセスし、ポップアップウィンドウの形態で開くデスクトップショートカットを提供することが可能である。
【０１０９】
子供のアカウントは、監督する大人によりセットアップされ、ユーザ名、パスワード、アカウント情報は、その大人によりユーザ識別データベース３２へ入力されるのが好ましい。データベース３２における子供のアカウント情報を大人のアカウント情報へリンクし、大人のユーザ名およびパスワードでのログイン時は、誕生日の変更等、保存されている子供の情報プロファイルを改変できるようにすることも可能である。
【０１１０】
各スキンが子供のユーザに適切であるか否かを大人が自分で決定したい場合、大人が承認したスキンへのアクセスのみ許可するとして、子供のプロファイルに印付けできる。大人は、自分が適切と判断するスキンを選択し、これらの選択されたスキンは、ユーザ情報データベース３４に格納される。大人のユーザ名およびパスワードでログインした子供は、大人により選択および格納されたものを除き、全てのスキンへのアクセスが拒否される。
【０１１１】
別の実施の形態では、ライブスキンデータベース３０内のスキンがリスト形式でユーザＵに提示される。各スキンは、１つまたはそれ以上の言葉、数字、または符号により表示されている。各表示は、スキンのバックグラウンド画像をユーザＵが見られるプレビューリンクを伴っている。
【０１１２】
第３タブ２９８では、ユーザ情報データベース３４に格納された自分の個人詳細およびパスワード情報をユーザが変更できる。このタブが選択された状態を示図２６にす。
【０１１３】
第４タブ３００が選択された状態を図２７に示す。この第４タブ３００では、どの検索エンジンをユーザ情報データベース３４に格納し、ウェブページ３８でアクセス可能にしたいかをユーザが選択できる。
【０１１４】
第５タブ３０２が選択された状態を図２８に示す。この第５タブ３０２では、通信チャネル４４を介してユーザがクライアントＣへフィードバックを送信できる。図２８から判るように、このフィードバックは、メッセージおよび提案詳細の形態を取ることが可能で、クライアントとウェブサーバ１２のオペレータとの両者へ送信できる。
【０１１５】
有効期限が切れたスキンは、もはやユーザウェブページ３８に表示できず、ライブスキンデータベース３０から除去される。スキンの価格がゼロより高く、ユーザがこの価格を支払っていない場合、スキンは、ライブスキンデータベース３０には残るものの、未払のユーザＵによる使用は阻止される。
【０１１６】
ユーザに固有の、ウェブブラウザのユーザ識別番号をクライアントＣがチェックする能力は、システム１０のオペレータにより使用可能である。このような状況では、取得した固有ユーザ識別番号毎に、オペレータがクライアントＣに課金できる。また、どのユーザが、および何人のユーザがライブスキンデータベース内の自分のスキンを使用または閲覧したかに関するデータへのアクセスを、クライアントＣに許可することも可能である。
【０１１７】
代替の実施の形態では、本発明は、ダウンロード可能な、またはインストール用の、コンピュータベースのソフトウェアブラウザアプリケーションとしてまたはブラウザプラグインとして実施できる。かかるプラグインは、そのユーザＵについてユーザ情報データベース３４に格納されたリンクがブラウザのお気に入りに挿入され、および選択したスキンが画面上に表示されるように、ユーザＰＣ２０内のブラウザを再設定する。
【０１１８】
ソフトウェアブラウザアプリケーションは、Ｅメールソフトウェアアプリケーションと、チャットソフトウェアアプリケーションとを備え、その両者はメインブラウザソフトウェアへリンクされている。Ｅメールソフトウェアおよびチャットソフトウェアのコンピュータアプリケーションは、また、オンライン設定において設定されたユーザの現在のスキンに基づいた、いわば「メニューバー上」コンテンツ（第１フレーム１０２に相当）を有する。ソフトウェアブラウザは、ユーザログイン処理を要求し、該当するスキンおよびお気に入りの格納されたウェブリンク、ならびにプロファイル情報をサーバ１４から取得する。これは、使用しているＰＣ２０上にインストールされていれば、ソフトウェアバージョン内のユーザ情報データベース３４からの自分の個人設定および情報へ、ユーザＵがアクセスできることを意味する。
【０１１９】
コンピュータにインストールされたブラウザソフトウェアアプリケーションの実施の形態では、保護者は、原則的には１つ１つ選択することにより、指定したウェブサイトのアドレスについて、子供のアカウントからのアクセスを許可できる。これは、子供がアドレスバーにアクセスできるようになるが、保護者により予め指定されたウェブサイトへのアクセスしか与えられないことを意味する。いずれの指定サイトから指定されていないサイトへのリンクも、「非アクティブリンク」として示されるか、あるいは、ページ上ではアクティブとして示されるものの、クリック時に子供のユーザに対してはアクセスを拒否するかのいずれかである。
【０１２０】
Ｅメールクライアントアプリケーションの、ウェブページ１００ベースの実施の形態およびインストールソフトウェアの実施の形態の両者とも、２つのＥメール受信ボックス、すなわち「信頼済み」受信ボックスと「未信頼」受信ボックスとを有することが可能である。ユーザＵは、Ｅメールが自動的に未信頼受信ボックスに入ってくるようにし、未信頼受信ボックス内でＥメールアドレスにフラグを立てる機能により、信頼済み状態のＥメールアドレスに設定できる。
【０１２１】
ユーザは、毎日あるいは毎週、未信頼Ｅメールを自動的に削除するようにＥメールシステムを設定できる。ユーザは、更に、望む時にはいつでも未信頼Ｅメールボックスを隠すことが可能で、それにより、予め指定した信頼済みＥメールアドレスから受信した信頼済みＥメールボックスへのメッセージのみに目を通し、スパムメールおよび望まないＥメールを全て未信頼Ｅメール受信ボックス内で処理できる。
【０１２２】
信頼済みと指定していなかったためにユーザが正当なＥメールを未信頼ボックスで受信してしまった場合、その問題のＥメールが送信されてから、設定した未信頼Ｅメール自動削除期間内であれば、ユーザは、単純に、未信頼受信ボックスを再度表示し、問題のＥメールを見つけてそのアドレスを信頼済み状態に設定し、そして未信頼受信ボックスを再度非表示に切り替えればよい。
【０１２３】
ユーザがコンピュータソフトウェアのインストールバージョンを使用している場合、ブラウザが外部ウェブサーバへ与えることを許可する特定名のクッキーを介して、エリア１０４にロードしているウェブサイトへ固有識別番号を与えることが可能であり、または、外部サイトが照会可能な一般的ブラウザ詳細情報を介して、その番号を外部ウェブサイトへ与えることが可能である。
【０１２４】
また、ユーザメニュー内に含まれるディレクトリ構造およびウェブリンクの全てをリストするウェブページの提供も可能で、このページを介して、各ＵＲＬリンク名からリンク先ウェブサイトを外部の新しいブラウザウィンドウで開ける。
【図面の簡単な説明】
【０１２５】
以下の添付図面を参照して、本発明の実施の形態を例示のためにのみ説明する。
【図１】図１は、本発明に係るシステムのアーキテクチャの概略図である。
【図２ａ】図２ａは、本発明に係るホームページの要素を示す図である。
【図２ｂ】図２ｂは、本発明に係るホームページの第２の実施の形態の要素を示す図である。
【図３】図３は、ユーザがリンクの選択によりウェブページにアクセスする処理のフロー図である。
【図４ａ】図４ａは、図２ａのホームページの要素を異なる構成で示す図である。
【図４ｂ】図４ｂは、図２ｂのホームページの要素を異なる構成で示す図である。
【図５】図５は、ユーザがログインする処理のフロー図である。
【図６】図６は、リンクを更新するためのセットアップページを示す図である。
【図７】図７は、ユーザがメニュー内のリンクを修正する処理のフロー図である。
【図８】図８は、ＰＣからリンクをアップロードする処理のフロー図である。
【図９】図９は、リンクをインポートするためのウェブページを示す図である。
【図１０】図１０は、リンクをインポートする時のurlist.txtファイルを示す図である。
【図１１】図１１は、インポートされたリンクを表示するウェブページを示す図である。
【図１２】図１２は、リンクが追加された図６のセットアップウェブページを示す図である。
【図１３】図１３は、図１２における「リンク移動」の拡大図である。
【図１４】図１４は、リンクを移動させるためのセットアップページを示す図である。
【図１５】図１５は、クライアントからログイン詳細を要求するページを示す図である。
【図１６】図１６は、クライアントにスキンを作成または修正させるページを示す図である。
【図１７】図１７は、スキン作成メニューの第１タブのページを示す図である。
【図１８】図１８は、図１７のページの第２の構成を示す図である。
【図１９】図１９は、スキン作成メニューの第２タブのページを示す図である。
【図２０】図２０は、スキン作成メニューの第３タブのページを示す図である。
【図２１】図２１は、スキン作成メニューの第４タブのページを示す図である。
【図２２】図２２は、スキンのプレビューを表示する、スキン作成メニューの第５タブのページを示す図である。
【図２３】図２３は、管理者に提出されるスキンを表示するページを示す図である。
【図２４】図２４は、ユーザ用スキン管理メニューの第１タブのページを示す図である。
【図２５】図２５は、ユーザがスキンを購入可能な、ユーザ用スキン管理メニューの第２タブのページを示す図である。
【図２６】図２６は、ユーザ用スキン管理メニューの第３タブのページを示す図である。
【図２７】図２７は、ユーザが検索エンジンを選択可能な、ユーザ用スキン管理メニューの第４タブのページを示す図である。
【図２８】図２８は、ユーザがスキン作成者へメッセージを送信可能な、フィードバックページを示す図である。
【符号の説明】
【０１２６】
１０  システム
１２  ウェブサーバ
１４  オペレータＰＣ
１６、１８  クライアントＰＣ（パーソナルコンピュータ）
２０、２２、２４  ユーザＰＣ
２６  プロセッサ
２７  クライアント識別データベース
２８  ペンディングスキンデータベース
３０  ライブスキンデータベース
３２  ユーザ識別データベース
３４  ユーザ情報データベース
３６  ローカルＰＣメモリ
３８、４０、４２、４６、４８、５０  ウェブページ
４４  通信チャネル
５０  オペレータウェブページ
５２  通信チャネル
１００、１００’  ホームページ
１０２  第１フレーム
１０４  第２フレーム
１０６  （第１フレームの）左側部
１０８  （第１フレームの）右側部
１１０、１１０’  第２セクション
１１２  第１フォーマットエリア
１１４  （第２フレームの）左側部
１１４’  検索エンジンボタン
１１６  （第２フレームの）右側部
１１８  第２フォーマットエリア
１２０、１２０’  ドロップダウンメニュー
１５７    セットアップページ
１５８、１６０、１６２、１６４  タブ
１６６、１６８  リンク
１７０  名前
１７２  ＵＲＬアドレス
１７４、１７６  ボタン
１７７  移動ボタン
１７８  新規リンク作成部
１７９  ボタン
１８０  作成ボタン
２２３  アップロードリンク
２２５  送信ボタン
２２７  ウェブページ
２３１  「メニュー番号格納」部
２３３  「なし」の丸
２５０  アクセスページ
２５８  送信ボタン
２６０  ウェブページ
２６２  新規スキンの作成オプション
２６４  スキンのリスト／更新オプション
２６６  アカウント明細確認オプション
２６８  クライアントページ
２７０  タブ
２７２  画像アップロードタブ
２７４  メニューｈｔｍｌタブ
２７６  メインｈｔｍｌタブ
２７８  プレビュータブ
２８０  スキン番号
２８４  ページ
２９０  更新ページ
２９２  第１タブ
２９４  格納されているスキン
２９６  第２タブ
２９８  第３タブ
３００  第４タブ
４０１、４０２  クライアントブランドエリア
４０３  ブラウザ機能エリア
４０４  検索入力
Ｃ  クライアント
Ｕ  ユーザ
【図１】
2006520942.tif 000003
【図２ａ】
2006520942.tif 000004
【図２ｂ】
2006520942.tif 000005
【図３】
2006520942.tif 000006
【図４ａ】
2006520942.tif 000007
【図４ｂ】
2006520942.tif 000008
【図５】
2006520942.tif 000009
【図６】
2006520942.tif 000010
【図７】
2006520942.tif 000011
【図８】
2006520942.tif 000012
【図９】
2006520942.tif 000013
【図１０】
2006520942.tif 000014
【図１１】
2006520942.tif 000015
【図１２】
2006520942.tif 000016
【図１３】
2006520942.tif 000017
【図１４】
2006520942.tif 000018
【図１５】
2006520942.tif 000019
【図１６】
2006520942.tif 000020
【図１７】
2006520942.tif 000021
【図１８】
2006520942.tif 000022
【図１９】
2006520942.tif 000023
【図２０】
2006520942.tif 000024
【図２１】
2006520942.tif 000025
【図２２】
2006520942.tif 000026
【図２３】
2006520942.tif 000027
【図２４】
2006520942.tif 000028
【図２５】
2006520942.tif 000029
【図２６】
2006520942.tif 000030
【図２７】
2006520942.tif 000031
【図２８】
2006520942.tif 000032
【国際調査報告】
2006520942.tif 000033
2006520942.tif 000034
2006520942.tif 000035